(57)【特許請求の範囲】
【請求項１】
放送信号を出力する放送送信装置であって、
放送入力信号に対して所定処理を行うことにより出力信号を生成して出力するチャンネルユニットであって、複数のチャンネルの各々に対して割り当てられた複数のチャンネルユニットと、
放送入力信号に対して所定処理を行うことにより出力信号を生成して前記放送信号として出力する予備ユニットと、
前記複数のチャンネルユニットのいずれかの異常を検知した場合に、当該異常を検知したチャンネルユニットを前記予備ユニットに切り替える制御手段とを備え、
前記制御手段は、前記異常を検知したチャンネルユニットを前記予備ユニットに切り替える場合に、当該異常を検知したチャンネルユニットにおける所定の設定情報を、当該異常を検知したチャンネルユニットから取得し、当該設定情報に基づいて前記予備ユニットの設定を行う、
放送送信装置。
【請求項２】
前記複数のチャンネルユニットの各々と前記予備ユニットとは、前記出力信号のレベルを所定レベルに調整するレベル調整部とを備え、
前記制御手段は、前記設定情報として、前記異常を検知したチャンネルユニットにおける前記レベル調整部の出力レベルを、当該異常を検知したチャンネルユニットにおける当該レベル調整部から取得し、当該出力レベルを前記予備ユニットの前記レベル調整部に設定する、
請求項１に記載の放送送信装置。
【請求項３】
前記制御手段は、
前記異常を検知したチャンネルユニットが復旧したことを検知した場合に、前記予備ユニットを当該復旧したチャンネルユニットに切り替え、
前記予備ユニットを前記復旧したチャンネルユニットに切り替える場合に、当該予備ユニットの前記設定情報を当該予備ユニットから取得し、当該設定情報に基づいて前記復旧したチャンネルユニットの設定を行う、
請求項１又は２に記載の放送送信装置。
【請求項４】
前記制御手段は、
前記異常を検知したチャンネルユニットが復旧したことを検知した場合に、当該復旧したことを示す出力を所定の出力手段を介して行い、復旧制御の実行指示を所定の入力手段を介して受けた場合に、前記予備ユニットを前記復旧したチャンネルユニットに切り替える、
請求項３に記載の放送送信装置。
【発明の詳細な説明】
【技術分野】
【０００１】
本発明は、放送波を送信する放送送信装置に関する。
【背景技術】
【０００２】
従来からＴＶ放送の放送システムにおいては、放送波を山間部等の難視聴地域に伝送するために再放送装置が利用されている。この再放送装置は、山の頂上付近に建てられた中継所の内部に設置され、放送局から送信された電波をアンテナで受信し、ここで信号の増幅や不要波の除去などを行って、再び送信信号を構成してこれを目的の難視聴地域に向けて送信するものである。
【０００３】
この再放送装置は、受信アンテナ、受信増幅器、パワーアンプ、及び送信アンテナを備えて構成されている。受信アンテナは、放送波を受信して入力信号を受信増幅器に出力する。受信増幅器は、複数のチャンネルユニットを備えて構成されており、受信アンテナから出力された入力信号を各チャンネル毎に分波して複数のチャンネルユニットに出力する。複数のチャンネルユニットの各々は、自己に割り当てられたチャンネルの入力信号を中間周波数の中間信号に変換し、不要波の除去等を行った後、中間信号を送信周波数に再度変換して出力信号とし、レベル調整部にてレベル調整を行って出力する。受信増幅器は、各チャンネルユニットからの出力信号を出力混合器で合成してパワーアンプに送信する。パワーアンプは、出力信号を増幅して送信アンテナに出力する。送信アンテナは、出力信号を再送信する。
【０００４】
また、受信増幅器は、予備ユニットを備えて構成されている。この予備ユニットは、複数のチャンネルユニットのいずれかに異常が発生した場合に、当該異常が発生したチャンネルユニットから切り替えて使用されるものであり、チャンネルユニットと同様に、自己に割り当てられたチャンネルの入力信号を中間周波数の中間信号に変換し、不要波の除去やレベル増幅を行った後、中間信号を送信周波数に再度変換して出力信号として出力する。このように、複数のチャンネルユニットのいずれかに異常が発生した場合に、当該異常が発生したチャンネルユニットを予備ユニットに切り替えることで、再放送を継続することができる（例えば、特許文献１参照）。
【先行技術文献】
【特許文献】
【０００５】
【特許文献１】特開２００３−３０９７３８号公報
【発明の概要】
【発明が解決しようとする課題】
【０００６】
しかしながら、特許文献１に記載の如き従来の再放送装置においては、異常が発生したチャンネルユニットを予備ユニットに切り替える場合、予備ユニットを単に初期設定状態のまま切り替えて使用していたので、予備ユニットの設定状態が、異常が発生したチャンネルユニットの設定状態とは異なり、異常発生前の再送信環境を継続できない場合があった。
【０００７】
例えば、図９には、設定状態が信号レベルに与える影響を説明するための説明図を示す。上述のように、再放送装置１００は、受信アンテナ１０１、受信増幅器１０２、パワーアンプ１０３、及び送信アンテナ１０４を備えて構成されており、受信増幅器１０２とパワーアンプ１０３は相互に同軸ケーブル１０５にて接続されている。ここでは、再放送装置１００によって、受信レベルが異なるＡ〜Ｄの４つのチャンネルの放送波１０６が再放送されている場合を想定する。
【０００８】
ここで、受信増幅器１０２の各チャンネルユニットから出力される出力信号が相互に同一レベルとなるように、各チャンネルユニットの最終段のレベル調整部（図示せず）における出力レベルを設定した場合には、受信増幅器１０２の各チャンネルユニットから同一レベルで出力された出力信号１０７が、同軸ケーブル１０５の周波数特性１０８の影響を受け、レベルが相互に異なる入力信号１０９となってパワーアンプ１０３に入力され、さらに、パワーアンプ１０３の周波数特性１１０の影響を受け、不均一なレベルの出力信号１１１となってパワーアンプ１０３から送信アンテナ１０４を介して出力されることとなってしまう。
【０００９】
これは、同軸ケーブル１０５に関しては、高い周波数の信号をより多く減衰させてしまう周波数特性を有するため、この同軸ケーブル１０５を通過した出力信号のレベルが各チャンネルの相互間で異なるものになるためである。特に、この影響は同軸ケーブル１０５が長い程大きくなる。また、パワーアンプ１０３に関しては、全周波数帯域に渡り周波数特性が一定ではなく、周波数偏差を持っているため、このパワーアンプ１０３にて増幅された出力信号のレベルが各チャンネルの相互間で異なるものになるためである。
【００１０】
このような周波数特性１０８、１１０の影響を打ち消すため、従来、受信増幅器１０２の各チャンネルユニットから出力される出力信号が相互に非同一レベルとなるように、各チャンネルユニットのレベル調整部の出力レベルを設定することが行われる。このように設定した場合には、各チャンネルユニットのレベル調整部から非同一レベルで出力された出力信号１１２が、同軸ケーブル１０５の周波数特性１０８の影響を受けて入力信号１１３となり、さらに、パワーアンプ１０３の周波数特性１１０の影響を受けることで、結果的に均一なレベルの出力信号１１４となってパワーアンプ１０３から送信アンテナ１０４を介して出力される。
【００１１】
しかしながら、上述のように、従来の再放送装置１００においては、異常が発生したチャンネルユニットを予備ユニットに切り替える場合、予備ユニットを単に初期設定状態のまま切り替えて使用していたので、予備ユニットのレベル調整部についても初期の出力レベルのまま使用されてしまい、パワーアンプ１０３から送信アンテナ１０４を介して出力される出力信号のレベルが結果的には相互に異なるものとなってしまう可能性があった。
【００１２】
このような従来の再放送装置１００における課題は、再放送装置１００以外の放送送信装置においても同様に存在していた。すなわち、放送を行う放送送信装置としては、再放送装置１００以外にも、例えば、簡易自主放送装置のような装置があり、この簡易自主放送装置も、放送入力信号に対する所定処理を行って出力信号を出力するチャンネルユニットや予備ユニットを備えて構成されているが、従来、異常が発生したチャンネルユニットを予備ユニットに切り替える場合には、予備ユニットを単に初期設定状態のまま切り替えて使用していたので、再放送装置１００の場合と同様に、出力信号のレベルが結果的には相互に異なるものとなってしまう可能性があった。
【００１３】
本発明は、上記に鑑みてなされたものであって、異常が発生したチャンネルユニットを予備ユニットに切り替える場合において、チャンネルユニットの異常発生前の設定情報を予備ユニットに引き継ぐことにより、異常発生前の送信環境を継続することができ、放送環境の安定性を高めることができる、放送送信装置を提供することを目的とする。
【課題を解決するための手段】
【００１４】
上述した課題を解決し、目的を達成するために、請求項１に記載の放送送信装置は、放送信号を出力する放送送信装置であって、放送入力信号に対して所定処理を行うことにより出力信号を生成して出力するチャンネルユニットであって、複数のチャンネルの各々に対して割り当てられた複数のチャンネルユニットと、放送入力信号に対して所定処理を行うことにより出力信号を生成して前記放送信号として出力する予備ユニットと、前記複数のチャンネルユニットのいずれかの異常を検知した場合に、当該異常を検知したチャンネルユニットを前記予備ユニットに切り替える制御手段とを備え、前記制御手段は、前記異常を検知したチャンネルユニットを前記予備ユニットに切り替える場合に、当該異常を検知したチャンネルユニットにおける所定の設定情報を、当該異常を検知したチャンネルユニットから取得し、当該設定情報に基づいて前記予備ユニットの設定を行う放送送信装置である。
【００１５】
請求項２に記載の放送送信装置は、請求項１に記載の放送送信装置において、前記複数のチャンネルユニットの各々と前記予備ユニットとは、前記出力信号のレベルを所定レベルに調整するレベル調整部とを備え、前記制御手段は、前記設定情報として、前記異常を検知したチャンネルユニットにおける前記レベル調整部の出力レベルを、当該異常を検知したチャンネルユニットにおける当該レベル調整部から取得し、当該出力レベルを前記予備ユニットの前記レベル調整部に設定する。
【００１６】
請求項３に記載の放送送信装置は、請求項１又は２に記載の放送送信装置において、前記制御手段は、前記異常を検知したチャンネルユニットが復旧したことを検知した場合に、前記予備ユニットを当該復旧したチャンネルユニットに切り替え、前記予備ユニットを前記復旧したチャンネルユニットに切り替える場合に、当該予備ユニットの前記設定情報を当該予備ユニットから取得し、当該設定情報に基づいて前記復旧したチャンネルユニットの設定を行う。
【００１７】
請求項４に記載の放送送信装置は、請求項３に記載の放送送信装置において、前記制御手段は、前記異常を検知したチャンネルユニットが復旧したことを検知した場合に、当該復旧したことを示す出力を所定の出力手段を介して行い、復旧制御の実行指示を所定の入力手段を介して受けた場合に、前記予備ユニットを前記復旧したチャンネルユニットに切り替える。
【発明の効果】
【００１８】
請求項１に記載の放送送信装置によれば、異常を検知したチャンネルユニットを予備ユニットに切り替える場合に、当該異常を検知したチャンネルユニットにおける所定の設定情報を取得し、当該設定情報に基づいて予備ユニットの設定を行うので、異常を検知したチャンネルユニットにおける送信環境を予備ユニットに引き継ぐことができ、放送環境の安定性を高めることができる。特に、異常を検知したチャンネルユニットの設定情報を自動的に予備ユニットに引き継ぐことができるので、予備ユニットの設定を保守員が手動で行う必要がなくなり、予備ユニットの設定を手動で行うための特別な技術が必要なくなる。
【００１９】
請求項２に記載の放送送信装置によれば、異常を検知したチャンネルユニットにおけるレベル調整部の出力レベルを取得し、当該出力レベルを予備ユニットのレベル調整部に設定するので、異常を検知したチャンネルユニットにおけるレベル調整部の出力レベルを予備ユニットに引き継ぐことができ、異常発生前と同様に、受信増幅部の後段の同軸ケーブル１０５やパワーアンプの周波数特性の影響を打ち消すことが可能となる。
【００２０】
請求項３に記載の放送送信装置によれば、予備ユニットを復旧したチャンネルユニットに切り替える場合に、当該予備ユニットにおける設定情報を取得し、当該設定情報に基づいて復旧したチャンネルユニットの設定を行うので、異常を検知したチャンネルユニットにおける送信環境を、予備ユニットを介して、復旧した当該チャンネルユニットに引き継ぐことができ、放送環境の安定性を高めることができる。特に、異常を検知したチャンネルユニットを修理した際に、その設定情報を不用意に変更や消去してしまった場合であっても、当該チャンネルユニットの設定情報を自動的に異常発生時の設定情報に戻すことができるので、当該チャンネルユニットの設定を保守員が手動で行う必要がなくなり、当該チャンネルユニットの設定を手動で行うための特別な技術が必要なくなる。
【００２１】
請求項４に記載の放送送信装置によれば、制御手段は、異常を検知したチャンネルユニットが復旧したことを検知した場合に、当該復旧したことを示す出力を所定の出力手段を介して行い、復旧制御の実行指示を所定の入力手段を介して受けた場合に、予備ユニットを復旧したチャンネルユニットに切り替えるので、復旧検知は自動で迅速かつ正確に行い、復旧したチャンネルユニットへの最終的な切り替え可否の判断は保守員が慎重に行うことで、放送環境の安定性を高めることができる。
【図面の簡単な説明】
【００２２】
【図１】本発明の一実施の形態に係る再放送装置の全体構成を示すブロック図である。
【図２】受信増幅器のブロック図である。
【図３】チャンネルユニットのブロック図である。
【図４】予備ユニットのブロック図である。
【図５】異常検知処理のフローチャートである。
【図６】異常切り替え処理のフローチャートである。
【図７】復旧検知処理のフローチャートである。
【図８】復旧切り替え処理のフローチャートである。
【図９】設定状態が信号レベルに与える影響を説明するための説明図である。
【発明を実施するための形態】
【００２３】
以下に添付図面を参照して、この発明に係る放送送信装置の一実施の形態を詳細に説明する。まず、本実施の形態の基本的概念を説明した後、本実施の形態の具体的内容について説明し、最後に、本実施の形態に対する変形例について説明する。ただし、本実施の形態によって本発明が限定されるものではない。
【００２４】
〔I〕本実施の形態の基本的概念
まず、本実施の形態に共通の基本的概念について説明する。本発明は、放送信号を送信する装置であって、チャンネルユニットを予備ユニットに切り替えて送信を行う可能性があるあらゆる放送送信装置に適用可能なものである。このような放送送信装置の代表例としては、再放送装置や簡易自主放送装置（例えば、音声信号や映像信号を入力信号として受信し、この入力信号に対してエンコードや変調を行って出力信号を生成して放送信号として送信するもの）を挙げることができる。なお、「放送信号を送信する」とは、放送信号を放送波として無線にて送信すること、及び、放送信号を有線にて電線路や光伝送路にて送信することを含む。以下、本実施の形態では、本発明を再放送装置に適用した場合について説明する。
【００２５】
本実施の形態に係る再放送装置は、ＴＶ放送の放送システムにおいて、放送波を入力信号として受信し、これに周波数変換を含む処理を施して出力信号を生成して再放送する装置である。この種の再放送装置において、入力信号は、発振器からの所定周波数の信号と混合され、その処理のために一旦中間信号に変換される。この状態でフィルタによって不要波の除去が施され、必要な信号増幅などが行われる。これらの処理を経た中間信号は、入力信号と同じかあるいは任意の周波数に、再度変換され出力される。
【００２６】
再放送装置は、その設置形態により、放送波を受信する受信機と放送波を送信する送信機とが相互に分離されて異なる場所に配置されており、これら受信機と送信機とが相互に伝送路によって接続されている分離型と、受信機と送信機が一箇所に配置されている非分離型とがあるが、いずれの形態の再放送装置に対しても本実施の形態を適用することができる。以下では、非分離型とした場合について説明する。また、本実施の形態の適用対象になる再放送装置は、難視聴対策のために山間部等に配置される場合の他、共同住宅の共聴用受信増幅器として配置される場合を含む。
【００２７】
ここで、本実施の形態の特徴の一つは、再放送装置が備える制御手段が、異常を検知したチャンネルユニットを予備ユニットに切り替える場合に、当該異常を検知したチャンネルユニットにおける所定の設定情報を取得し、当該設定情報に基づいて予備ユニットの設定を行う点にある。このことにより、異常発生前の送信環境を継続でき、放送環境の安定性を高めることができる。
【００２８】
このように取得及び設定を行う設定情報としては、異常を検知したチャンネルユニットの設定情報として制御手段が取得可能な情報であって、予備ユニットの設定に使用可能な情報である限り、任意の情報を対象とすることができる。例えば、各チャンネルユニットに信号を遮断するためのスケルチが設けられており、このスケルチによる遮断対象とすべき信号のレベルが設定されている場合には、当該レベルを設定情報とすることができる。あるいは、各チャンネルユニットに信号レベルを自動調整するためのＡＧＣ（Ａｕｔｏ  Ｇａｉｎ  Ｃｏｎｔｒｏｌｌｅｒ）が設けられており、このＡＧＣに信号の目標レベルが設定されている場合には、当該目標レベルを設定情報とすることができる。また、設定情報の取得先及び設定先としては、チャンネルユニットに限定されず、例えば、各チャンネルユニットの設定情報を一括して記憶する記憶部をチャンネルユニットの外部に設けている場合には、異常を検知したチャンネルユニットの設定情報を記憶部から取得し、当該取得した設定情報を、予備ユニットの設定情報として当該記憶部に記憶させるようにしてもよい。以下では、設定情報として、各チャンネルユニットの出力信号のレベルを調整するためのレベル調整部の出力レベルを対象とする場合であって、チャンネルユニットのレベル調整部から取得した出力レベルを予備ユニットのレベル調整部に設定する場合について説明する。
【００２９】
〔II〕本実施の形態の具体的内容
（構成）
次に、本実施の形態の具体的内容について説明する。まず、再放送装置の構成について説明する。図１は、本実施の形態に係る再放送装置の全体構成を示すブロック図である。この図１に示すように、再放送装置１は、放送波を受信して再送信する装置であって、受信アンテナ２、受信増幅器３、パワーアンプ４、及び送信アンテナ５を備えて構成されており、受信増幅器３とパワーアンプ４は同軸ケーブル６を介して接続されている。
【００３０】
受信アンテナ２は、放送波（放送入力信号）を受信して入力信号を受信増幅器３に出力する受信手段である。
【００３１】
受信増幅器３は、各チャンネル毎の信号に対する周波数変換と不要波除去処理を行うものである。図２は、受信増幅器３のブロック図である。受信増幅器３は、概略的には、複数のチャンネルユニット２０を備えて構成されており、受信アンテナ２から出力された入力信号を各チャンネル毎に分波して複数のチャンネルユニット２０に出力する。複数のチャンネルユニット２０の各々は、自己に割り当てられたチャンネルの入力信号を中間周波数の中間信号に変換し、中間信号の不要波の除去等を行った後、中間信号を送信周波数に再度変換して出力信号とし、出力信号をレベル調整を行って放送信号として出力する。この受信増幅器３の構成の細部については、後述する。
【００３２】
図１において、パワーアンプ４は、出力信号を増幅して、規定の送信出力レベルで出力する増幅手段である。このパワーアンプ４は、受信増幅器３に対して同軸ケーブル６を介して接続されており、この同軸ケーブル６を介して受信増幅器３から出力された出力信号を、増幅して送信アンテナ５に出力する。
【００３３】
送信アンテナ５は、パワーアンプ４から出力された出力信号を放送信号として再送信する。
【００３４】
（構成−受信増幅器）
次に、受信増幅器３の構成についてさらに詳細に説明する。図２に示すように、受信増幅器３は、入力端子７、分配器８、混合器９、アンプ１０、信号検出部１１、出力端子１２、複数のチャンネルユニット２０、予備ユニット４０、及び統括制御部５０を備えて構成されている。
【００３５】
入力端子７は、受信アンテナ２から出力された入力信号の入力を受け付ける入力手段である。分配器８は、入力端子７にて受け付けられた入力信号を分配して各チャンネルユニット２０及び予備ユニット４０に出力する分配手段である。混合器９は、各チャンネルユニット２０及び予備ユニット４０から出力された出力信号を混合して出力する混合手段である。アンプ１０は、混合器９にて混合された出力信号を増幅する増幅手段である。信号検出部１１は、アンプ１０にて増幅された出力信号のレベルを検出するレベル検出手段である。出力端子１２は、アンプ１０にて増幅された出力信号を同軸ケーブル６を介してパワーアンプ４に出力する出力手段である。
【００３６】
複数のチャンネルユニット２０は、放送波による入力信号に対して所定処理を行うことにより出力信号を生成して出力するユニットであり、複数のチャンネルの各々に対して割り当てられたユニットである。以下では、複数のチャンネルユニット２０を、チャンネルユニット２０Ａ、チャンネルユニット２０Ｂのように区別して説明するが、これらを特に区別する必要がない場合には、単にチャンネルユニット２０と総称する。また、図２では、チャンネルユニット２０を２つのみ図示しているが、放送するチャンネル数に応じた数のチャンネルユニット２０を設けることができる。これら複数のチャンネルユニット２０は相互に同一構成となっている。
【００３７】
図３は、チャンネルユニット２０のブロック図である。各チャンネルユニット２０は、フィルタ２１、２７、アンプ２２、３１、ＡＧＣ２３、周波数制御部２４、２８、発振器２５、２９、周波数変換部２６、３０、レベル調整部３２、出力スイッチ３３、信号検出部３４、３５、復旧灯３６、復旧スイッチ３７、及びユニット制御部３８を備えて構成されている。
【００３８】
フィルタ２１は、当該フィルタ２１が設けられているチャンネルユニット２０に割り当てられている周波数の入力信号のみを通過させる帯域通過フィルタである。アンプ２２は、フィルタ２１を通過した入力信号を増幅する増幅手段である。ＡＧＣ２３は、入力信号のレベルを所定基準値内のレベルに収まるように帰還利得調整する自動利得制御手段である。
【００３９】
周波数制御部２４、発振器２５、及び周波数変換部２６は、入力信号を信号処理が容易な所定の中間周波数の中間信号に変換する中間周波数変換手段である。すなわち、周波数制御部２４は、図示しない設定用スイッチで設定された所定周波数になるように発振器２５を制御する発振器制御手段である。発振器２５は、オシレータおよびＰＬＬ回路で構成される局部発振手段であり、その出力が、設定用スイッチで設定された所定周波数になるよう駆動される。つまり、周波数制御部２４の制御によってオシレータから発振される周波数は、発振器２５のＰＬＬ回路によってあらかじめ決められた周波数に位相同期され、基準周波数として周波数変換部２６に出力される。周波数変換部２６は、入力信号と発振器２５からの信号との差の周波数の中間信号を生成する。
【００４０】
フィルタ２７は、周波数変換部２６で生成された中間信号から希望波以外の不要波を除去する狭帯域フィルタである。周波数制御部２８、発振器２９、及び周波数変換部３０は、中間信号を放送周波数の出力信号に変換する放送周波数変換手段である。これら、周波数制御部２８、発振器２９、周波数変換部３０は、変換周波数が異なる点を除いて、周波数制御部２４、発振器２５、周波数変換部２６とぞれぞれ同様に構成される。
【００４１】
アンプ３１は、周波数変換部３０にて生成された出力信号を増幅する増幅手段である。レベル調整部３２は、出力信号を所定レベルに調整するＧＣ（Ｇａｉｎ  Ｃｏｎｔｒｏｌｌｅｒ）である。出力スイッチ３３は、ユニット制御部３８の制御により、出力信号の出力の有無を切り替える出力切り替え手段である。信号検出部３４は、フィルタ２１を通過した入力信号のレベルを検出してユニット制御部３８に出力するレベル検出手段である。信号検出部３５は、レベル調整部３２にてレベル調整された出力信号のレベルを検出してユニット制御部３８に出力するレベル検出手段である。
【００４２】
復旧灯３６は、ユニット制御部３８の制御により、当該復旧灯３６が設けられているチャンネルユニット２０が異常状態から正常状態に復旧された場合に点滅又は点灯する復旧報知手段である。復旧スイッチ３７は、当該復旧スイッチ３７が設けられているチャンネルユニット２０が異常状態から正常状態に復旧された場合に、予備ユニット４０を当該チャンネルユニット２０に切り替えるための復旧指示の入力を受け付ける復旧指示入力手段である。ユニット制御部３８は、チャンネルユニット２０の各部を制御するための制御手段である。このユニット制御部３８は、例えば、ＭＰＵ（Ｍｉｃｒｏ  Ｐｒｏｃｅｓｓｉｎｇ  Ｕｎｉｔ）から構成されており、図示しないメモリに記憶させたプログラムをＭＰＵにて解釈及び実行することで、各部の制御が行われる（後述するユニット制御部４３及び統括制御部５０も同じ）。このユニット制御部３８の具体的な制御内容については後述する。
【００４３】
次に、図２の予備ユニット４０について説明する。図４は、予備ユニット４０のブロック図である。この予備ユニット４０は、放送波による入力信号に対して所定処理を行うことにより出力信号を生成して出力するユニットである。ただし、この予備ユニット４０の構成要素のうち、チャンネルユニット２０の構成要素と同一の機能を有する構成要素については、チャンネルユニット２０の構成要素と同じ名称及び符号を付して、その説明を省略する。
【００４４】
この予備ユニット４０には、複数のフィルタ４１、選択スイッチ４２、及びユニット制御部４３が設けられている。複数のフィルタ４１は、チャンネルユニット２０の数と同じ数だけ設けられている。以下では、複数のフィルタ４１を、フィルタ４１Ａ、フィルタ４１Ｂのように区別して説明するが、これらを特に区別する必要がない場合には、単にフィルタ４１と総称する。フィルタ４１の各々は、各チャンネルユニット２０のフィルタ２１と同様に構成され、各チャンネルユニット２０に割り当てられた周波数の入力信号のみを通過させる。例えば、フィルタ４１Ａは、チャンネルユニット２０Ａのフィルタ２１と同じ周波数の入力信号のみを通過させ、フィルタ４１Ｂは、チャンネルユニット２０Ｂのフィルタ２１と同じ周波数の入力信号のみを通過させる。選択スイッチ４２は、各フィルタ４１を通過した入力信号の中で、一つの周波数の入力信号のみを通過させて後段に出力する切り替えスイッチである。ユニット制御部４３は、予備ユニット４０の各部を制御するための制御手段である。このユニット制御部４３の具体的な制御内容については後述する。
【００４５】
図２の統括制御部５０について説明する。この統括制御部５０は、再放送装置１の各部を制御するための制御手段であり、特許請求の範囲における制御手段に対応する。特に、統括制御部５０は、各チャンネルユニット２０のユニット制御部３８と信号検出部１１とに電気的に接続されており、これらユニット制御部３８と信号検出部１１からの出力に基づいて、チャンネルユニット２０の異常を検知し、異常が検知されたチャンネルユニット２０を予備ユニット４０に切り替え、さらに、予備ユニット４０を異常から復旧したチャンネルユニット２０に切り替える。この統括制御部５０の具体的な制御内容については後述する。
【００４６】
（処理）
次に、このように構成された再放送装置１の処理について説明する。この処理は、チャンネルユニット２０により再放送を行う再放送処理、チャンネルユニット２０の異常を検知する異常検知処理、異常が検知されたチャンネルユニット２０を予備ユニット４０に切り替える異常切り替え処理、予備ユニット４０の復旧を検知する復旧検知処理、及び、予備ユニット４０を異常から復旧したチャンネルユニット２０に切り替える復旧切り替え処理に大別される。ただし、チャンネルユニット２０により再放送を行う再放送処理は、公知の再放送装置１と同様に実行できるので、その説明を省略する。
【００４７】
（処理−異常検知処理）
まず、異常検知処理について説明する。図５は、異常検知処理のフローチャートである。この異常検知処理は、再放送装置１の電源投入後に起動される。この処理において、各チャンネルユニット２０のユニット制御部３８は、信号検出部３４を介して検出された入力信号のレベルと、信号検出部３５を介して検出された出力信号のレベルとを監視し、これらのレベルに基づいて、当該ユニット制御部３８が設けられているチャンネルユニット２０の異常の有無を監視する（ＳＡ１）。ここでは、入力信号のレベルと出力信号のレベルとに基づいて、放送状態やチャンネルユニット２０の状態を、放送中、放送休止、及び故障（放送停波・異常発振）、の３つのいずれかの状態に分け、故障の状態である場合には、異常が発生したものと判定する。
【００４８】
具体的には、「入力信号があり、かつ、出力信号がある」場合には放送中、「入力信号がなく、かつ、出力信号がない」場合には放送休止、「入力信号があり、かつ、出力信号がない」場合又は「入力信号がなく、かつ、出力信号がある」場合には故障（＝異常）と判定する。ただし、「入力信号がある」場合や「出力信号がある」場合としては、入力信号や出力信号がゼロレベルを超えた場合に該当すると判定する他、所定レベル以上のレベルである場合に該当するものと判定してもよい。そして、各チャンネルユニット２０のユニット制御部３８は、当該ユニット制御部３８が設けられているチャンネルユニット２０に異常があると判定した場合には（ＳＡ１、Ｙｅｓ）、異常報知信号を統括制御部５０に出力する（ＳＡ２）。
【００４９】
統括制御部５０は、各チャンネルユニット２０のユニット制御部３８からの異常報知信号を監視し（ＳＡ３）、異常報知信号を受信した場合には（ＳＡ３、Ｙｅｓ）、当該異常報知信号を出力したチャンネルユニット２０に異常が発生したものと判定し、当該異常が発生したものと判定したチャンネルユニット２０（以下、切り替え対象ユニット２０）を予備ユニット４０に切り替えるための異常切り替え処理を起動する（ＳＡ４）。また、統括制御部５０は、異常報知信号を有線又は無線により遠方の監視センターに出力する（ＳＡ５）。これにて異常検知処理が終了する。
【００５０】
（処理−異常切り替え処理）
次に、異常切り替え処理について説明する。図６は、異常切り替え処理のフローチャートである。この異常切り替え処理は、異常検知処理において統括制御部５０により起動される。この処理において、統括制御部５０は、予備ユニット４０の選択スイッチ４２を制御することにより（ＳＢ１）、切り替え対象ユニット２０に割り当てられた周波数（以下、切り替え対象周波数）に対応するフィルタ４１をアンプ２２に接続する。また、統括制御部５０は、切り替え対象周波数を予備ユニット４０の周波数制御部２８に設定することにより（ＳＢ２）、出力信号の周波数を切り替え対象周波数とするための制御を周波数制御部２８に実行させる。この切り替え対象周波数は、例えば、各チャンネルユニット２０の周波数を統括制御部５０に予め記憶させておき、この記憶内容を必要に応じて参照することにより決定することができる。あるいは、切り替え対象ユニット２０の周波数制御部２８から取得してもよい。また、統括制御部５０は、予備ユニット４０の出力スイッチ３３をＯＮに制御する（ＳＢ３）。これにて、切り替え対象周波数のチャンネルの再放送が、予備ユニット４０を介して開始される。
【００５１】
また、統括制御部５０は、切り替え対象ユニット２０の出力スイッチ３３をＯＦＦに制御する（ＳＢ４）。これにて、切り替え対象ユニット２０を再放送系統から切り離すことができる。なお、この切り離しを行う方法としては、例えば、切り替え対象ユニット２０のアンプ３１を停止制御すること等によって行ってもよい。
【００５２】
ここで、統括制御部５０は、上記のように切り替え対象ユニット２０を予備ユニット４０に切り替える際、切り替え対象ユニット２０の設定情報を、予備ユニット４０に引き継ぐ。具体的には、統括制御部５０は、切り替え対象ユニット２０のユニット制御部３８を介して、切り替え対象ユニット２０のレベル調整部３２に設定されている出力レベルを取得する（ＳＢ５）。そして、統括制御部５０は、予備ユニット４０のユニット制御部４３を介して、予備ユニット４０のレベル調整部３２の出力レベルを、切り替え対象ユニット２０から取得した出力レベルに設定する（ＳＢ６）。
【００５３】
（処理−復旧検知処理）
次に、復旧検知処理について説明する。図７は、復旧検知処理のフローチャートである。この復旧検知処理は、異常切り替え処理の終了後に起動される。ここでは、異常検知処理において統括制御部５０から出力された異常報知信号によりチャンネルユニット２０の異常発生を知った監視センターの担当者が、再放送装置１の設置場所に行き、再放送装置１から切り替え対象ユニット２０を取り外して修理し、この修理後の切り替え対象ユニット２０を再放送装置１に取り付けることを想定している。
【００５４】
再放送装置１に取り付けられた切り替え対象ユニット２０の電源が投入されると、この切り替え対象ユニット２０のユニット制御部３８は、自己が設けられている切り替え対象ユニット２０が復旧したか否か判定する。この判定では、上述の異常検知処理における異常検知と同様の判定を行い、異常が検知されない場合には復旧したものと判定する（ＳＣ１、Ｙｅｓ）。そして、復旧している状態が所定時間（例えば、数秒間）継続している場合には（ＳＣ２、Ｙｅｓ）、当該切り替え対象ユニット２０が異常状態から正常状態に復旧したものとして、復旧灯３６を点灯又は点滅させる（ＳＣ３）。この復旧灯３６の点灯又は点滅を確認した担当者が、切り替え対象ユニット２０の復旧スイッチ３７を操作すると（ＳＣ４、Ｙｅｓ）、ユニット制御部３８は、復旧要求信号を統括制御部５０に送信する（ＳＣ５）。
【００５５】
統括制御部５０は、各チャンネルユニット２０のユニット制御部３８からの復旧要求信号を監視し（ＳＣ６）、復旧要求信号を受信した場合には（ＳＣ６、Ｙｅｓ）、当該復旧要求信号を出力した切り替え対象ユニット２０が復旧したものと判定し、予備ユニット４０を切り替え対象ユニット２０に切り替えるための復旧切り替え処理を起動する（ＳＣ７）。また、統括制御部５０は、復旧報知信号を有線又は無線により遠隔の監視センターに出力する（ＳＣ８）。これにて復旧検知処理が終了する。
【００５６】
（処理−復旧切り替え処理）
最後に、復旧切り替え処理について説明する。図８は、復旧切り替え処理のフローチャートである。この復旧切り替え処理は、復旧検知処理にて統括制御部５０により起動される。この処理において、統括制御部５０は、切り替え対象ユニット２０の出力スイッチをＯＮに制御する（ＳＤ１）。これにて、切り替え対象周波数のチャンネルの再放送が、切り替え対象ユニット２０を介して再開される。
【００５７】
また、統括制御部５０は、予備ユニット４０の出力スイッチをＯＦＦに制御する（ＳＤ２）。これにて、予備ユニット４０を再放送系統から切り離すことができる。なお、この切り離しを行う方法としては、例えば、アンプを停止制御したり、予備ユニット４０の周波数を、放送対象となっている周波数帯以外の周波数であって、放送に影響を与えない周波数に変更してもよい。
【００５８】
ここで、統括制御部５０は、上記のように予備ユニット４０を切り替え対象ユニット２０に切り替える際、予備ユニット４０の設定情報を、切り替え対象ユニット２０に引き継ぐ。具体的には、統括制御部５０は、予備ユニット４０のユニット制御部４３を介して、予備ユニット４０のレベル調整部３２に設定されている出力レベルを取得する（ＳＤ３）。そして、統括制御部５０は、切り替え対象ユニット２０のユニット制御部３８を介して、切り替え対象ユニット２０のレベル調整部３２の出力レベルを、予備ユニット４０から取得した出力レベルに設定する（ＳＤ４）。これにて復旧切り替え処理が終了する。
【００５９】
（効果）
このように本実施の形態によれば、異常を検知したチャンネルユニット２０を予備ユニット４０に切り替える場合に、当該異常を検知したチャンネルユニット２０における所定の設定情報を取得し、当該設定情報に基づいて予備ユニット４０の設定を行うので、異常を検知したチャンネルユニット２０における再送信環境を予備ユニット４０に引き継ぐことができ、放送環境の安定性を高めることができる。特に、異常を検知したチャンネルユニット２０の設定情報を自動的に予備ユニット４０に引き継ぐことができるので、予備ユニット４０の設定を保守員が手動で行う必要がなくなり、予備ユニット４０の設定を手動で行うための特別な技術が必要なくなる。
【００６０】
また、異常を検知したチャンネルユニット２０におけるレベル調整部３２の出力レベルを取得し、当該出力レベルを予備ユニット４０のレベル調整部３２に設定するので、異常を検知したチャンネルユニット２０におけるレベル調整部３２の出力レベルを予備ユニット４０に引き継ぐことができ、異常発生前と同様に、受信増幅部３の後段の同軸ケーブル６やパワーアンプ４の周波数特性の影響を打ち消すことが可能となる。
【００６１】
また、復旧したチャンネルユニット２０を予備ユニット４０に切り替える場合に、当該予備ユニット４０における設定情報を取得し、当該設定情報に基づいて復旧したチャンネルユニット２０の設定を行うので、異常を検知したチャンネルユニット２０における再送信環境を、予備ユニット４０を介して、復旧した当該チャンネルユニット２０に引き継ぐことができ、放送環境の安定性を高めることができる。特に、異常を検知したチャンネルユニット２０を修理した際に、その設定情報を不用意に変更や消去してしまった場合であっても、当該チャンネルユニット２０の設定情報を自動的に異常発生時の設定情報に戻すことができるので、当該チャンネルユニット２０の設定を保守員が手動で行う必要がなくなり、当該チャンネルユニット２０の設定を手動で行うための特別な技術が必要なくなる。
【００６２】
また、統括制御部５０は、異常を検知したチャンネルユニット２０が復旧したことを検知した場合に、当該復旧したことを示す出力を復旧灯３６を介して行い、復旧制御の実行指示を復旧スイッチ３７を介して受けた場合に、復旧したチャンネルユニット２０を予備ユニット４０に切り替えるので、復旧検知は自動で迅速かつ正確に行い、復旧したチャンネルユニット２０への最終的な切り替え可否の判断は保守員が慎重に行うことで、放送環境の安定性を高めることができる。
【００６３】
〔III〕実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００６４】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６５】
（異常判定方法について）
各チャンネルユニット２０の異常判定は、入力信号のレベルと出力信号のレベルに基づく判定以外にも、他の方法で行うこともできる。例えば、発振器による基準周波数の制御状態が所定の制御範囲に収まっているか否かをユニット制御部３８が監視し、収まっていない場合には異常が発生したものと判定して、異常報知信号を統括制御部５０に出力するようにしてもよい。あるいは、図２の信号検出部１１にて検出された信号に含まれる識別情報（ＮＩＴ：Ｎｅｔｗｏｒｋ  Ｉｎｆｏｒｍａｔｉｏｎ  Ｔａｂｌｅ）が所定チャンネルの識別情報に合致するか否かをユニット制御部３８が監視し、合致しない場合には異常が発生したものと判定して、異常報知信号を統括制御部５０に出力するようにしてもよい。特に、識別情報に基づく異常判定は、各チャンネルユニット２０からの出力信号の混合後に行うこともでき、具体的には、信号検出部１１にて検出された信号を統括制御部５０が各チャンネル毎にスキャンし、各チャンネルの識別情報に基づいて、統括制御部５０が異常の有無を判定するようにしてもよい。この他、異常判定については、再放送装置１における公知の判定方法を採用することができる。
【００６６】
（切り替え方法について）
上述の異常切り替え処理や復旧切り替え処理においては、ユニット制御部３８や統括制御部５０により切り替えを自動で行うこととしているが、その一部を手動で行うようにしてもよい。例えば、異常切り替え処理において、切り替え対象ユニット２０のレベル調整部３２に異常が認められた場合に、レベル調整部３２の設定情報を予備ユニット４０のレベル調整部３２に引き継ぎたくない場合も考えられる。このような場合に対処するため、統括制御部５０は、切り替え対象ユニット２０の異常を検知した後に、切り替え対象ユニット２０の設定情報を監視センターに送信し、監視センターの担当者が引き継ぎを指示する指示信号を出力した場合にのみ、引き継ぎを行うようにしてもよい。あるいは、復旧切り替え処理において、切り替え対象ユニット２０の設定情報を最適な状態に担当者が調整した上で、切り替え対象ユニット２０を再放送装置１に取り付けた場合には、予備ユニット４０の設定情報を切り替え対象ユニット２０に引き継ぎたくない場合が考えられる。このような場合に対処するため、統括制御部５０は、切り替え対象ユニット２０の復旧を検知した後に、予備の設定情報を監視センターに送信し、監視センターの担当者が引き継ぎを指示する指示信号を出力した場合にのみ、引き継ぎを行うようにしてもよい。逆に、復旧切り替え処理において、復旧スイッチ３７が操作されてから、予備ユニット４０を切り替え対象ユニット２０に切り替えているが、この操作を待つことなく、切り替えを行うようにしてもよい。
【００６７】
（処理順序について）
上記説明した各処理における順序は、変更することも可能である。例えば、図６の異常切り替え処理では、予備ユニット４０の出力スイッチ３３をＯＮに制御した後（ＳＢ３）、切り替え対象ユニット２０の出力スイッチ３３をＯＦＦに制御しているが（ＳＢ４）、これらを同時又は逆の順序で実行してもよい。特に、切り替え対象ユニット２０のレベル調整部３２に設定されている出力レベルの取得と（ＳＢ５）、予備ユニット４０のレベル調整部３２の出力レベルの設定は（ＳＢ６）、予備ユニット４０の出力スイッチ３３をＯＮに制御する前に行うことが好ましい。同様に、図８の復旧切り替え処理では、予備ユニット４０のレベル調整部３２に設定されている出力レベルの取得と（ＳＤ３）、切り替え対象ユニット２０のレベル調整部３２の出力レベルの設定は（ＳＤ４）、切り替え対象ユニット２０の出力スイッチ３３をＯＮに制御する前に行うことが好ましい。
【００６８】
（出力方法について）
上記実施の形態においては、異常報知信号を監視センターに有線又は無線にて送信しているが、再放送装置１に設けた図示しない表示部（例えば液晶パネル）に表示するようにしてもよい。
【符号の説明】
【００６９】
１、１００  再放送装置
２、１０１  受信アンテナ
３、１０２  受信増幅器
４、１０３  パワーアンプ
５、１０４  送信アンテナ
６、１０５  同軸ケーブル
７  入力端子
８  分配器
９  混合器
１０、２２、３１  アンプ
１１、３４、３５  信号検出部
１２  出力端子
２０  チャンネルユニット
２１、２７  フィルタ
２３  ＡＧＣ
２４、２８  周波数制御部
２５、２９  発振器
２６、３０  周波数変換部
３２  レベル調整部
３３  出力スイッチ
３６  復旧灯
３７  復旧スイッチ
３８  ユニット制御部
４０  予備ユニット
５０  統括制御部
１０６  放送波
１０７、１１１、１１２、１１４  出力信号
１０８、１１０  周波数特性
１０９、１１３  入力信号
【図１】
0005604207.tif 000002
【図２】
0005604207.tif 000003
【図３】
0005604207.tif 000004
【図４】
0005604207.tif 000005
【図５】
0005604207.tif 000006
【図６】
0005604207.tif 000007
【図７】
0005604207.tif 000008
【図８】
0005604207.tif 000009
【図９】
0005604207.tif 000010